(57)【要約】【課題】シャフトがバスタオル幅大とシーツ幅大とに伸縮でき、バスタオルもシーツ（敷布）及びシーツ幅大のタオルケットや肌掛け布団等も自在に干すことのできる物干し具を提供する。【解決手段】本発明に係る物干し具は、バスタオル幅大（約７５ｃｍ）とシーツ幅大（約１５０ｃｍ）に伸縮できるシャフト２の複数本（図面では４本になっているが限定されない）を並列し、各伸縮端２ａ、２ｂをこれに直交する端枠３、３に結合（金属であれば溶接など）している。この端枠３、３は、その中央を頂点Ｐとして屋根形になっている。もちろん、直線状であってもよい。該端枠３、３の中央にはフック部材４、４が取り付けられている。該フック部材４、４は、物干し竿に対してそれぞれ別個の方向（左右いずれの方向）から引っ掛けられるように背反方向になっている。【選択図】図１
0003140816.tif 000002
【実用新案登録請求の範囲】
【請求項１】
バスタオル幅大とシーツ幅大に伸縮できるシャフトと、該シャフトの複数本を並列し、各伸縮端を結合した端枠と、該端枠の中央に取り付けたフック部材とからなることを特徴とする物干し具。
【請求項２】
前記シャフトが、管材と、該管材の両端からスライド可能に挿入した中管材と、該中管材の外端からスライド可能に挿入した細材の５部品からなり、前記管材と中管材との間及び中管材と細材との間の最大伸長量の規制手段を設けたことを特徴とする請求項１に記載の物干し具。
【請求項３】
前記シャフトが、管材と、該管材の両端からスライド可能に挿入した細材の３部品からなり、前記管材と細材との間の最大伸長量の規制手段を設けたことを特徴とする請求項１に記載の物干し具。
【請求項４】
前記規制手段が、径大側の端部寄りの内面に設けた内向き突子と、径小側の内端部に設けた鍔部と、該鍔部に一端を当接し、他端が前記突子に当接できるコイル状バネとからなることを特徴とする請求項２又は３に記載の物干し具。
【請求項５】
前記端枠が、その中央を頂点として屋根形になっていることを特徴とする請求項１〜４のうちの１に記載の物干し具。
【請求項６】
前記フック部材が、基端環と鉤部とからなり、該基端環が前記端枠の中央に固定した逆Ｕ字材のＵ字内で端枠に嵌合していることを特徴とする請求項１〜５のうちの１に記載の物干し具。
【考案の詳細な説明】
【技術分野】
【０００１】
本考案は、シャフトがバスタオル幅大とシーツ幅大とに伸縮でき、バスタオルもシーツ（敷布）及びシーツ幅大のタオルケットや肌掛け布団等も自在に干すことのできる物干し具に関するものである。
【背景技術】
【０００２】
従来、バスタオルの数枚をまとめて干すことのできる専用の物干し具はあった。バスタオル幅大のシャフトを、コア部材を中心にして折り畳み式に放射状に延出し、該コア部材にフック部材を取り付けたもの、あるいは、バスタオル幅大のシャフトを並列し、そのシャフト端部をこれに直交する端枠に結合し、該端枠の中央にフック部材を取り付けたものである。
【考案の開示】
【考案が解決しようとする課題】
【０００３】
しかしながら、バスタオル幅大のシャフトをコア部材を中心にして放射状に延出したもの、バスタオル幅大のシャフトを並列したものは、シーツやシーツ幅大のタオルケットや肌掛け布団や毛布などを干すときは、縦に二つ折りするか、物干し竿に直接に干す以外になかったが、物干し竿は、通常、竿受け具にせいぜい２〜４本ぐらいしか渡すことが出来ず、干す枚数が限られて仕舞っていた。もちろん、シャフトをシーツ幅大に拡大したものを用意することも考えられるが、嵩張るということもあって存在していないのが現状である。
【０００４】
本考案は、上記問題を解消するためのものであって、その目的とするところは、縮小するとバスタオル幅大となり、拡大するとシーツ幅大となる新規な物干し具を提供することにある。
【課題を解決するための手段】
【０００５】
上記目的を達成するため、本考案に係る物干し具は、バスタオル幅大とシーツ幅大に伸縮できるシャフトと、該シャフトの複数本を並列し、各伸縮端を結合した端枠と、該端枠の中央に取り付けたフック部材とからなることを特徴とし、拡大すればシーツ幅大になる上に、縮小すればバスタオル幅大となるように構成した。
【０００６】
また、請求項２に記載の物干し具は、前記シャフトが、管材と、該管材の両端からスライド可能に挿入した中管材と、該中管材の外端からスライド可能に挿入した細材の５部品からなり、前記管材と中管材との間及び中管材と細材との間の最大伸長量の規制手段を設けたことを特徴とし、前記シャフトがスライド可能な５部品からなっていても、シーツ幅大に拡大したときも管材と中管材との間及び中管材と細材との間の重なり量が充分に得られ、かつ互いに抜けないように構成した。
【０００７】
また、請求項３に記載の物干し具は、前記シャフトが、管材と、該管材の両端からスライド可能に挿入した細材の３部品からなり、前記管材と細材との間の最大伸長量の規制手段を設けたことを特徴とし、前記シャフトがスライド可能な３部品からなっていても、シーツ幅大に拡大したときも管材と細材との間の重なり量が充分に得られ、かつ互いに抜けないように構成した。
【０００８】
さらに、請求項４に記載の物干し具は、前記規制手段が、径大側の端部寄りの内面に設けた内向き突子と、径小側の内端部に設けた鍔部と、該鍔部に一端を当接し、他端が前記突子に当接できるコイル状バネとからなることを特徴とし、径大側と径小側との重なり量がコイル状バネによってガタ無く確保されるように構成した。
【０００９】
さらにまた、請求項５に記載の物干し具は、前記端枠が、その中央を頂点として屋根形になっていることを特徴とし、バスタオル幅大とシーツ幅大に伸縮できるシャフトを屋根形に並ばせるように構成した。
【００１０】
さらにまた、請求項６に記載の物干し具は、前記フック部材が、基端環と鉤部とからなり、該基端環が前記端枠の中央に固定した逆Ｕ字線のＵ字内で端枠に嵌合していることを特徴とし、フック部材がシャフトの軸方向に倒れ、シャフト縮小時の全高を低く抑えることができるように構成した。
【考案の効果】
【００１１】
本考案に係る物干し具によれば、拡大すればシーツ幅大になる上に、縮小すればバスタオル幅大となることから嵩張ることもなく、バスタオルもシーツはもちろんシーツ幅大のタオルケットや肌掛け布団や毛布などもまとめて干せるという優れた効果を奏するものである。
【００１２】
また、請求項２に記載の物干し具によれば、前記シャフトがスライド可能な５部品からなっているにもかかわらず、シーツ幅大に拡大したときも管材と中管材との間及び中管材と細材との間の重なり量が充分に得られ丈夫であると同時に、互いに抜けないように規制されているので、拡大させた瞬間にシャフトが分解してしまうような事故が起こり得ないという優れた効果を奏するものである。
【００１３】
また、請求項３に記載の物干し具によれば、前記シャフトがスライド可能な３部品からなっているにもかかわらず、シーツ幅大に拡大したときも管材と細材との間の重なり量が充分に得られ丈夫であると同時に、互いに抜けないように規制されているので、拡大させた瞬間にシャフトが分解してしまうような事故が起こり得ないという優れた効果を奏するものである。
【００１４】
さらに、請求項４に記載の物干し具によれば、径大側と径小側との重なり量がコイル状バネによってガタ無く保たれ、シーツ幅大に拡大してシーツ類やタオルケットや肌掛け布団や毛布などをまとめて安定して干せるという優れた効果を奏するものである。
【００１５】
さらにまた、請求項５に記載の物干し具によれば、前記端枠が、その中央を頂点として屋根形になり、同時に、バスタオル幅大とシーツ幅大に伸縮できるシャフトが屋根形の端枠に沿って軒側に順次低く段違いになるため、軒側に立って行うバスタオルやシーツの干し作業がより楽になるという優れた効果を奏するものである。
【００１６】
さらにまた、請求項６に記載の物干し具によれば、前記フック部材がシャフトの軸方向に倒れ、シャフト縮小時の全高を低く抑えることができ、片付け易くなるという優れた効果を奏するものである。
【考案を実施するための最良の形態】
【００１７】
次に、本考案を実施するための最良の形態を図面に基づいて説明する。図１はバスタオル幅大の本願物干し具の斜視図、図２はシャフトの断面図で、（ａ）は５部品、（ｂ）は３部品、図３は規制手段の断面図、図４はフック部材で、（ａ）は側面図、（ｂ）は正面図である。
【００１８】
１は本願物干し具である。本願物干し具１は、バスタオル幅大（約７５ｃｍ）とシーツ幅大（約１５０ｃｍ）に伸縮できるシャフト２の複数本（図面では４本になっているが限定されない）を並列し、各伸縮端２ａ、２ｂをこれに直交する端枠３、３に結合（金属であれば溶接など）している。この端枠３、３は、図１の如く、その中央を頂点Ｐとして屋根形になっている。もちろん、図示していないが、直線状であってもよい。該端枠３、３の中央にはフック部材４、４が取り付けられている。該フック部材４、４は、物干し竿（図示せず）に対してそれぞれ別個の方向（左右いずれの方向）から引っ掛けられるようにするために背反方向になっている。
【００１９】
前記シャフト２は、図２（ａ）の如く、管材２１と、該管材２１の両端からスライド可能に挿入した中管材２２ａ、２２ｂと、該中管材２２ａ、２２ｂのそれぞれの外端からスライド可能に挿入した細材２３ａ、２３ｂの５部品とからなる。この管材２１と中管材２２ａ及び２２ｂとの間、また、前記中管材２２ａ、２２ｂと細材２３ａ、２３ｂとの間には、図３に示す如く、最大伸長量（重なり長）Ｌを規制する規制手段２４が設けられている。前記５部品からなるシャフト２は、大径側に対して小径側を順次挿し込む（縮小）とバスタオル幅大となる一方、大径側から小径側を順次引き出す（拡大）とシーツ幅大となることはもちろんである。
【００２０】
また、前記シャフト２は、図２（ｂ）の如く、管材２１と、該管材２１の両端からスライド可能に挿入した細材２３ａ、２３ｂの３部品とからなっていてもよい。この管材２１と細材２３ａ、２３ｂとの間には、前述した最大伸長量（重なり長）Ｌを規制する規制手段２４が設けられている。この場合（３部品からなる）のシャフト２も、大径側に対して小径側を最も挿し込む（縮小）とバスタオル幅大となり、大径側から小径側を最も引き出す（拡大）とシーツ幅大となる。
【００２１】
前記規制手段２４は、図３の如く、径大側、たとえば管材２１の端部寄りの内面に設けた内向き突子２５と、径小側、たとえば細材２３ａの内端部に設けた鍔部２６と、該鍔部２６に一端を当接し、他端が前記突子２５に当接できるコイル状バネ２７とからなる。この場合、径大側と径小側との重なり長Ｌは、管材２１の端部から突子２５の内側までの距離Ｌ１と、コイル状バネ２７の挿入時の軸方向の長さＬ２と、鍔部２６の軸方向の長さＬ３により確保される。換言すれば、５部品又は３部品からなるシャフト２は径大側と径小側との重なり長Ｌだけガタ無く保たれるようになっている。
【００２２】
前記端枠３、３は、図１の如く、その中央を頂点Ｐとして屋根形にすることにより端枠３、３を補強できるほか、バスタオル幅大とシーツ幅大に伸縮できるシャフト２が軒側に向けて順次低く段違いになるため、軒側に立ってバスタオルやシーツを干す作業を行うときは、より作業が楽になる利点がある。
【００２３】
前記フック部材４、４は、図４の如く、基端環４１と軸部４２と鉤部４３とからなり、該基端環４１は前記端枠３の中央に固定した逆Ｕ字材３１のＵ字孔３１′内で端枠３に嵌合している。すなわち、該フック部材４、４は、その基端環４１が嵌合している端枠３を中心に回動できるから、図４（ａ）の一点鎖線の如く、シャフト２の軸方向に倒れることが可能となり、本願物干し具１の全高を低く抑えることができる。特に、シャフト２を縮小して片付けるときには、より有効である。一方、倒れているフック部材４、４を立てるときは、その軸部４２が前記逆Ｕ字材３１のＵ字頭３１″に図４（ａ）の実線の如く当たるため、ほぼ鉛直状に立たせることができ、前記フック部材４の鉤部４３の開口部を、図４（ｂ）の如く、物干し竿（図示せず）に正対させることができるから掛け易くなる。
【００２４】
前記フック部材４、４の鉤部４３には、物干し竿との摩擦力を高めるために、ゴムや合成樹脂などの摩擦係数の高い材質よりなるカバー体４３′を被せるとよい。風などによって掛けた位置がズラされにくくなる。
【産業上の利用可能性】
【００２５】
本願物干し具は、上述の如く、シャフトがバスタオル幅大とシーツ幅大とに伸縮でき、バスタオルもシーツ（敷布）及びシーツ幅大のタオルケットや肌掛け布団等も自在に干すことができる上に、物置などに片付けるときには嵩張らず、小さく仕舞えるという家庭において利用可能性が極めて高いものである。
【図面の簡単な説明】
【００２６】
【図１】バスタオル幅大の本願物干し具の斜視図である。
【図２】シャフトの断面図で、（ａ）は５部品、（ｂ）は３部品である。
【図３】規制手段の断面図である。
【図４】フック部材で、（ａ）は側面図、（ｂ）は正面図である。
【符号の説明】
【００２７】
１  本願物干し具１
２ａ、２ｂ  伸縮端
２１  管材
２２ａ、２２ｂ  中管材
２３ａ、２３ｂ  細材
２４  規制手段
２５  突子
２６  鍔部
２７  コイル状バネ
３  端枠
３１  逆Ｕ字材
３１′  Ｕ字孔
３１″  Ｕ字頭
４  フック部材
４１  基端環
４２  軸部
４３  鉤部
４３′  カバー体
Ｌ  最大伸長量（重なり長）
Ｐ  頂点
【図１】
0003140816.tif 000003
【図２】
0003140816.tif 000004
【図３】
0003140816.tif 000005
【図４】
0003140816.tif 000006